(57)【要約】【課題】照明器具本体と、器具本体に脱着可能な光源ユニットを備える照明装置において、光源ユニットの取り外し時に、光源ユニットを引き下げる操作の必要のない照明装置を提供する。【解決手段】照明装置３００は、照明器具本体と、照明器具本体に着脱可能に取り付けられた光源ユニット２００とを備える。照明器具本体の枠１２０は、第１の本体側支持部１２１と第２の本体側支持部１２２とを有している。光源ユニット２００は、透光性のカバー２２０と、カバー２２０が取り付けられたＬＥＤ取付板２１０とを有する。光源ユニット２００は、ＬＥＤ取付板２１０の一方の端部２１７が第１の本体側支持部１２１で支持され、ＬＥＤ取付板２１０の他方の端部２１８が第２の本体側支持部１２２で支持されている。【選択図】図８
2018073736.tif 000002
【特許請求の範囲】
【請求項１】
照明器具本体と、前記照明器具本体に着脱可能に取り付けられた光源ユニットとを備える照明装置において、
前記照明器具本体は、
第１の本体側支持部と第２の本体側支持部とを有し、
前記光源ユニットは、
透光性のカバーと、前記カバーが取り付けられたカバー取付部とを有し、前記カバー取付部の一方の端部が前記第１の本体側支持部で支持され、前記カバー取付部の他方の端部が前記第２の本体側支持部で支持されている照明装置。
【請求項２】
前記カバー取付部の一方の端部は、
前記第１の本体側支持部に載せられた状態で支持され、
前記カバー取付部の他方の端部は、
前記第２の本体側支持部に載せられた状態で支持されている請求項１に記載の照明装置。
【請求項３】
前記照明器具本体は、
開口と、前記開口から続く内部空間とが形成されており
前記カバーと前記カバー取付部とは、
前記内部空間に収容されている請求項１または請求項２に記載の照明装置。
【請求項４】
前記カバーは、
前記開口を塞いでいる請求項３に記載の照明装置。
【請求項５】
前記照明器具本体は、
前記開口の縁から立ち上がっている第１の側壁と、
前記第１の側壁に対向して配置されている第２の側壁と、
前記第１の側壁と前記第２の側壁との間に配置され、光源に電力を供給する電源装置とを備える請求項３または請求項４に記載の照明装置。
【請求項６】
前記光源ユニットは、
前記内部空間から前記開口を通過して着脱可能な請求項３から請求項５のいずれか１項に記載の照明装置。
【請求項７】
前記照明器具本体は、
前記内部空間の一部として、前記カバー取付部の一方の端部が収納されている第１の収納空間と、前記カバー取付部の他方の端部が収納されている第２の収納空間とが形成されている請求項３から請求項６のいずれか１項に記載の照明装置。
【請求項８】
前記照明器具本体は、
前記光源ユニットを、前記第１の本体側支持部と前記第２の本体側支持部とに対して、弾性力で押し付けるバネを有する請求項１から請求項７のいずれか１項に記載の照明装置。
【請求項９】
開口と、前記開口から続く内部空間であって、前記開口の法線の方向に続く上部空間と、前記上部空間から前記上部空間の横方向に続く第１の収納空間と、前記上部空間から前記第１の収納空間と反対の方向に続く第２の収納空間とを含む内部空間とが形成されている照明器具本体の前記第１の収納空間に、光源ユニットの一方の端部を挿し込む工程と、
前記光源ユニットの一方の端部が前記第１の収納空間に挿し込まれている状態で、前記光源ユニットの他方の端部を、前記上部空間に収納する工程と、
前記光源ユニットの一方の端部が前記第１の収納空間に挿し込まれている状態で、前記上部空間に収納された前記光源ユニットの他方の端部を、前記第２の収納空間に挿し込む工程と
を備える光源ユニットの取り付け方法。
【発明の詳細な説明】
【技術分野】
【０００１】
本発明は、照明器具本体と、照明器具本体に対して脱着可能な光源ユニットを備える照明装置に関する。
【背景技術】
【０００２】
従来、天井に取り付けられる照明器具本体に脱着可能な光源ユニットは、バネの引上げ力により照明器具本体に取り付けられている（特許文献１）。
【先行技術文献】
【特許文献】
【０００３】
【特許文献１】特開２０１４−２３２７１３号公報
【発明の概要】
【発明が解決しようとする課題】
【０００４】
しかし、バネを用いて光源ユニットを照明器具本体に取り付けるためには、例えば、取り付け作業者がバネを弾性変形させ、照明器具本体に設けられた開口にバネを引っ掛けた後に、バネの引き上げ力によって光源ユニットが照明器具本体に取り付けられており、光源ユニットの取り付け作業が手間であった。
【０００５】
この発明は、照明器具本体と、照明器具本体に脱着可能な光源ユニットを備える照明装置において、光源ユニットを容易に照明器具本体に取り付けできる照明装置を提供することを目的とする。
【課題を解決するための手段】
【０００６】
この発明の照明装置は、
照明器具本体と、前記照明器具本体に着脱可能に取り付けられた光源ユニットとを備える照明装置において、
前記照明器具本体は、
第１の本体側支持部と第２の本体側支持部とを有し、
前記光源ユニットは、
透光性のカバーと、前記カバーが取り付けられたカバー取付部とを有し、前記カバー取付部の一方の端部が前記第１の本体側支持部で支持され、前記カバー取付部の他方の端部が前記第２の本体側支持部で支持されていることを特徴とする。
【発明の効果】
【０００７】
本発明の照明装置によれば、光源ユニットを容易に照明器具本体に取り付けることができる。
【図面の簡単な説明】
【０００８】
【図１】実施の形態１の図で、照明装置３００の斜視図。
【図２】実施の形態１の図で、照明装置３００の分解斜視図。
【図３】実施の形態１の図で、照明器具本体１００の分解斜視図。
【図４】実施の形態１の図で、光源ユニット２００の分解斜視図。
【図５】実施の形態１の図で、枠１２０の斜視図。
【図６】実施の形態１の図で、枠１２０の別の斜視図。
【図７】実施の形態１の図で、図６のＦ方向からみた枠１２０の平面図。
【図８】実施の形態１の図で、図７のＢ−Ｂ断面に相当する概略図。
【図９】実施の形態１の図で、照明装置３００の図１におけるＺ方向矢視。
【図１０】実施の形態１の図で、図９の照明装置３００から光源ユニット２００を取り外した図。
【図１１】実施の形態１の図で、図１０のＣ−Ｃ断面図。
【図１２】実施の形態１の図で、光源ユニット２００の斜視図。
【図１３】実施の形態１の図で、図１２のＹ方向矢視。
【図１４】実施の形態１の図で、光源ユニット２００の３面図。
【図１５】実施の形態１の図で、天井に固定された器具本体１００へ、作業者が光源ユニット２００を取り付け工程を示す図。
【図１６】実施の形態１の図で、図１のＸ方向を法線とする断面であり、光源ユニット２００と枠１２０とのＹ方向の関係を示す概略図。
【発明を実施するための形態】
【０００９】
実施の形態１．
図１は、照明装置３００の斜視図である。図２は、照明装置３００の分解斜視図である。図３は、照明器具本体１００の分解斜視図である。図４は、光源ユニット２００の分解斜視図である。
【００１０】
図１等にはＸＹＺ座標を示しているが、図３で説明すれば、Ｘ方向は板バネ１４１から板バネ１４２に向かう方向である。Ｙ方向はケース側面部１１４からケース側面部１１１へ向かう方向である。Ｚ方向は図２のように光源ユニット２００から器具本体１００へ向かう方向である。図１〜図４以外の図面でもＸ、Ｙ、Ｚの各方向は図１〜図４と同じである。
【００１１】
以下の説明では、器具本体１００の開口１０１と、枠１２０の開口１２５が登場するが、開口１０１は、開口１２５そのものである。また、光源ユニット２００の一方の端部２０１及び他方の端部２０２、ＬＥＤ取付板２１０の一方の端部２１７及び他方の端部２１８が登場するが、光源ユニット２００の一方の端部２０１及び他方の端部２０２は、それぞれＬＥＤ取付板２１０の一方の端部２１７及び他方の端部２１８そのものである。
【００１２】
図５は、枠１２０の斜視図である。図６は、枠１２０の別の斜視図である。図７は図６のＦ方向からみた枠１２０の平面図である。図８は図７のＢ−Ｂ断面に相当する概略図である。図９は、照明装置３００の図１におけるＺ方向矢視である。図１０は、図９の照明装置３００から光源ユニット２００を取り外した図である。図１１は、図１０のＣ−Ｃ断面図である。図１２は、光源ユニット２００の斜視図である。図１３は、図１２のＹ方向矢視である。図１４は、光源ユニット２００の３面図である。図１５は、天井に固定された器具本体１００へ、作業者が光源ユニット２００を取り付け工程を示す図である。図１６は、図１のＸ方向を法線とする断面であり、光源ユニット２００と枠１２０との取り付け状態を示す簡略図である。
【００１３】
＊＊＊構成の説明＊＊＊
照明装置３００は照明器具本体１００と、光源ユニット２００とを備えている。図２に示すように、照明装置３００は、照明器具本体１００と、照明器具本体１００に着脱可能に取り付けられた光源ユニット２００とを備える。照明装置は照明器具とも呼ばれることがあるが、実施の形態１では照明装置の用語を用いて説明する。また照明器具本体１００は以降では器具本体１００と記す。
【００１４】
（器具本体１００）
図３に示すように、器具本体１００は、ケース１１０、枠１２０、電源ユニット１３０、板バネ１４１、板バネ１４２、電源端子台１５０、調光端子台１６０、電源側ハーネス１７０及びネジ１８０を備えている。ケース１１０には、電源ユニット１３０、板バネ１４１、板バネ１４２、電源端子台１５０、調光端子台１６０、コネクタ１７１が先端に設けられた電源側ハーネス１７０が取り付けられている。また、ケース１１０には、電源線が通る電源線孔１１７、調光信号線が通る調光信号線孔１１８、及び取付ボルトが通る取付孔１１９が形成されている。
【００１５】
（ケース１１０）
ケース１１０は、図３に示すように四角の板状のケース底面部１１５、ケース側面部１１１〜１１４を備えている。ケース側面部１１１には電源装置９１３０である電源ユニット１３０が配置されるので、ケース側面部１１１はケース側面部１１２〜１１４に比べて高さが高い。
【００１６】
（枠１２０）
枠１２０は、電源ユニット１３０等が取り付けられた状態のケース１１０に、４つのネジ１８０で取り付けられる。枠１２０は、四角の枠形状の外形である。枠１２０の外形は、ｐｑｒｓで示す四角形の開口１２５が形成されている枠底面部１２０Ａと、４つの枠側面部１２０Ｂ−１〜１２０Ｂ−４とを有する。開口１２５においてｓ、ｒで示される縁からは第１の脚部１２３が立ち上がっている。第１の脚部１２３は立ち上りの終端が折れ曲っている。第１の脚部１２３のうち、ｓ、ｒで示される縁から立ち上がっている部分は側面部１２３ｂであり、先端の折れ曲っている部分はケース１１０を受けるケース１１０の取付部１２３ａである。図６に示すように、第１の脚部１２３は、ｐ、ｑで示される縁から立ち上がっている第２の脚部１２４と対になっている。第２の脚部１２４は第１の脚部１２３と同様に、側面部１２４ｂ及び取付部１２４ａを有する。取付部１２４ａと取付部１２３ａとは、互いに向き合っている。
【００１７】
（第１の本体側支持部１２１及び第２の本体側支持部１２２）
また、開口１２５においてｐ、ｓで示される縁からは第１の開口側壁１２７が立ち上がっている。第１の開口側壁１２７の終端は折れ曲っており、この部分は第１の本体側支持部１２１である。第１の本体側支持部１２１は、ＬＥＤ取付板２１０の一方の端部２１７を支持する。同様に、開口１２５においてｑ、ｒで示される縁からは第２の開口側壁１２８が立ち上がっている。第２の開口側壁１２８の終端は折れ曲っており、この部分は第２の本体側支持部１２２である。第２の本体側支持部１２２は、ＬＥＤ取付板２１０の他方の端部２１８を支持する。
【００１８】
枠１２０は器具本体１００の構成要素であるから、器具本体１００は、第１の本体側支持部１２１と第２の本体側支持部１２２とを有する。
【００１９】
（電源ユニット１３０）
図１０に示すように、Ｚ方向から見た場合、電源線孔１１７、調光信号線孔１１８及び取付孔１１９は、開口１０１の内側に配置され、また、板バネ１４１，１４２、電源端子台１５０及び調光端子台１６０も開口１０１の内側に配置される。つまり、図１０では開口１０１（ｐｑｒｓ）から電源線孔１１７等が見える。一方、電源ユニット１３０は開口１０１の外側に配置されるので、開口１０１からは見えない。図１６で説明すれば、電源ユニット１３０は、開口１０１の縁から立ち上がっている第１の側壁９１２３ｂである側面部１２３ｂと、これに対向して配置されている第２の側壁９１２０Ｂである枠側面部１２０Ｂ−３との間に配置されるので、図１０では開口１０１からは見えない。電源ユニット１３０は、光源である複数のＬＥＤが実装されたＬＥＤモジュール２３０に電力を供給する。
【００２０】
図３に示すように、枠１２０は、電源ユニット１３０等が取り付けられた状態のケース１１０に、４つのネジ１８０で取り付けられる。
【００２１】
（光源ユニット２００）
図４に示すように、光源ユニット２００は、ＬＥＤ取付板２１０、カバー２２０、ＬＥＤモジュール２３０、カバー取付金具２４０、光源側ハーネス２５０、ネジ２６０及びネジ２７０を備えている。ＬＥＤ取付板２１０は、四角の板状の取付底面部２１５、取付側面部２１１〜２１４を備えている。光源として複数のＬＥＤが配置されたＬＥＤモジュール２３０は、ＬＥＤ取付板２１０へ４つのネジ２６０で取り付けられる。カバー２２０は、光源ユニット発光部２０３となる四角形のカバー底面部２２１と、カバー底面部２２１において対向するＸ方向のそれぞれの側辺から立ち上がる一対のカバー側面部２２２及カバー側面部２２３と、カバー取付金具２４０で押さえられる一対のカバー側固定部２２４及びカバー側固定部２２５とを備えている。カバー２２０は、一対のカバー側固定部２２４，２２５がそれぞれカバー取付金具２４０で押さえられることでＬＥＤ取付板２１０へ取り付けられる。各カバー取付金具２４０は、２つのネジ２７０でＬＥＤ取付板２１０へ取り付けられる。
【００２２】
器具本体１００はケース１１０の取付孔１１９を使用して、図示していない、取付ボルトとナットで天井に直付される。作業者は、天井に直付されている器具本体１００に、光源ユニット２００を取り付ける。
【００２３】
光源ユニット２００を器具本体１００に取り付ける具体的な取付け工程は図１５を用いて後述するが、光源ユニット２００は器具本体１００に以下のように支持される。図８に示すように、ＬＥＤ取付板２１０の一方の端部２１７（図１２）と、他方の端部２１８（図１２）とが、それぞれ、枠１２０の第１の本体側支持部１２１と第２の本体側支持部１２２とで支持されることにより、光源ユニット２００は器具本体１００に取り付けられる。
【００２４】
器具本体１００に取り付けられた光源ユニット２００は、板バネ１４１，１４２により下向き（天井と反対方向）に押され、図１５の（ａ）に示すＺ１方向及びＺ２方向の位置が安定する。図１５の（ａ）において長さＨ１は、Ｚ１方向における板バネ１４２の下面と第２の本体側支持部１２２の上面との距離である。光源ユニット２００が器具本体１００に取り付けられた状態を示す図１５の（ｃ）において長さＨ２は、Ｚ１方向における板バネ１４２の下面と第２の本体側支持部１２２の上面との距離である。長さＨ２＞長さＨ１であり、「Ｈ２−Ｈ１」だけＺ１方向に弾性変形した板バネ１４２は弾性力で光源ユニット２００を第２の本体側支持部１２２に押し付ける。板バネ１４１も同様である。照明装置３００では、器具本体１００は、光源ユニット２００を第１の本体側支持部１２１と第２の本体側支持部１２２とに対して弾性力で押し付ける板バネ１４１，１４２を有するが、バネは１本でも良いし３本以上でもよい。また板バネの代わりにコイルバネを用いてもよいし、板バネとコイルバネの両方を用いてもよい。
【００２５】
＊＊＊光源ユニット２００の取り付け工程の説明＊＊＊
図１５は、光源ユニット２００を開口１０１に取り付ける取付工程（ａ）〜（ｃ）を説明する模式図である。以下に述べる図１５の（ａ）〜（ｃ）の一連の工程は、器具本体１００への光源ユニット２００の取り付け方法である。図１５を参照して光源ユニット２００を器具本体１００に取り付ける取り付け工程を説明する。図１５の工程前に、作業者は、電源側ハーネス１７０のコネクタ１７１と光源側ハーネス２５０のコネクタ２５１とを接続する。なお、図１５では電源側ハーネス１７０及びコネクタ１７１、光源側ハーネス２５０及びコネクタ２５１は省略している。
【００２６】
（図１５の（ａ））
図１５の（ａ）を説明する。
器具本体１００は、内部空間１０４の一部として、カバー取付部９２１０であるＬＥＤ取付板２１０の一方の端部２１７が収納される第１の収納空間１０４−１と、ＬＥＤ取付板２１０の他方の端部２１８が収納される第２の収納空間１０４−２とが形成されている。
まず、作業者は、光源ユニット２００の一方の端部２０１を器具本体１００の開口１０１に斜めに挿入し、さらに、一方の端部２０１を開口１０２から第１の収納空間１０４−１に挿入する。器具本体１００の開口１０１は枠１２０の開口１２５（図２）そのものであり、（ａ）に示す開口１０２は、器具本体１００において図５、図８及び図１１に破線で示す箇所に形成されている。作業者は光源ユニット２００（ＬＥＤ取付板２１０）で板バネ１４１を押し上げ、光源ユニット２００が板バネ１４１と第１の本体側支持部１２１との間に入るようにする。
図１５の（ａ）に示すように、器具本体１００は、開口１０１と、開口１０１から続く内部空間１０４であって、開口１０１の法線の方向であるＺ１方向に開口１０１から続く上部空間１０４−３と、上部空間１０４−３から上部空間１０４−３の横方向に続く第１の収納空間１０４−１と、上部空間１０４−３から第１の収納空間１０４−１と反対の方向に続く第２の収納空間１０４−２とを含む内部空間１０４とが形成されている。図１５の（ａ）に示す工程は、第１の収納空間１０４−１に、光源ユニット２００の一方の端部２０１を挿し込む第１の挿し込み工程である。
以上により、光源ユニット２００は、図１５の（ａ）の状態になる。
【００２７】
（寸法関係）
開口１０１と光源ユニット２００との寸法を説明する。図２において、ＬＥＤ取付板２１０のＸ方向の長さＬ１は、開口１０１のｐｑ間の長さよりも長い。なお、開口１０１は四角形であるので、
ｐｑ間の長さ＝ｓｒ間の長さ、
である。この関係を図８に示している。図２において、ＬＥＤ取付板２１０のＹ方向の長さＬ２は、開口１０１のｐｓ間の長さと同じが、やや短い程度である。なお、開口１０１は四角形であるので、
ｐｓ間の長さ＝ｑｒ間の長さ、
である。このＸ方向の関係を図８に示している。
【００２８】
（図１５の（ｂ））
図１５の（ｂ）では、光源ユニット２００の一方の端部２０１が第１の収納空間１０４−１に挿し込まれている状態で、光源ユニット２００の他方の端部２０２を、上部空間１０４−３に収納する。光源ユニット２００の他方の端部２０２も開口１０１から内部空間１０４に入った場合、つまり、光源ユニット２００の他方の端部２０２が上部空間１０４−３に収納された場合、作業者は、光源ユニット２００を、第１の本体側支持部１２１に当接している一方の端部２０１を支点にして、光源ユニット２００の姿勢を水平にする。ここで内部空間１０４は、図２で説明すれば、器具本体１００において開口１０１からＺ１方向に続く空間である。内部空間１０４は、枠１２０と、ケース１１０（図３）によって形成されている。この場合、（ａ）、（ｂ）に示すように、光源ユニット２００の一方の端部２０１としてのカバー２２０の下面が、第１の本体側支持部１２１に当接している状態である。光源ユニット２００は図１５の（ｂ）のような水平の状態になる。
【００２９】
（図１５の（ｃ））
作業者は、水平になった光源ユニット２００をＸ方向に水平にスライドさせる。このスライドによって、カバー２２０の下面が第１の本体側支持部１２１に対して水平にＸ方向にスライドする。そして、第１の本体側支持部１２１に支持される部位が、カバー２２０の下面からＬＥＤ取付板２１０の一方の端部２１７の下側に移る。このとき、ＬＥＤ取付板２１０の他方の端部２１８の下側が第２の本体側支持部１２２に支持される状態になる。そして、開口１０１に光源ユニット発光部２０３であるカバー２２０が嵌る。光源ユニット２００は（ｃ）の状態となり、器具本体１００に光源ユニット２００が取り付けられる。
つまり、図１５の（ｃ）で示す工程は，光源ユニット２００の一方の端部２０１が第１の収納空間１０４−１に挿し込まれている状態で、上部空間１０４−３に収納された光源ユニット２００の他方の端部２０２を、第２の収納空間１０４−２に挿し込む工程である。
【００３０】
器具本体１００に光源ユニット２００が取り付けられた場合、カバー２２０は、開口１０１を塞ぐ。図８に示すようにＸ方向では、カバー２２０が開口１０１を殆ど隙間なく塞ぐ。つまり、
カバー２２０のＸ方向長さＬ３≒ｓｒ間の長さ、
である。
また、図１６に示すように、Ｙ方向でも、カバー２２０は、開口１０１を塞ぐ。開口１０１には取付側面部２１１、２１３の板厚程度の隙間ができるに過ぎない。なお、カバー２２０の開口１０１のＺ方向位置となる底面部の大きさを、開口１０１の大きさにすることで上記の板厚による隙間をなくすことも可能である。
【００３１】
図８及び図１５の（ｃ）に示すように、光源ユニット２００は、透光性のカバー２２０と、カバー２２０が取り付けられたカバー取付部９２１０であるＬＥＤ取付板２１０とを有する。光源ユニット２００ではＬＥＤ取付板２１０の一方の端部２１７が第１の本体側支持部１２１で支持され、ＬＥＤ取付板２１０の他方の端部２１８が第２の本体側支持部１２２で支持されている。具体的には、ＬＥＤ取付板２１０の一方の端部２１７は、第１の本体側支持部１２１に載せられた状態で支持され、ＬＥＤ取付板２１０の他方の端部２１８は、第２の本体側支持部１２２に載せられた状態で支持されている。
【００３２】
また、図１５の（ｃ）は光源ユニット２００の取り付け完了を示し、図１、図１６等に対応するが、器具本体１００は開口１０１と、開口１０１から続く内部空間１０４とが形成されており、カバー２２０とＬＥＤ取付板２１０とは内部空間１０４に収容されている。
【００３３】
また、光源ユニット２００が器具本体１００に取り付けられた状態では、カバー２２０は、開口１０１を塞いでいる（図１、図９及び図１５の（ａ））。
【００３４】
（取付ボルト収納部１０３）
また、光源ユニット２００が器具本体１００に取り付けられた場合、図１５の（ｃ）に示す空間である取付ボルト収納部１０３に取り付けボルトが収まる。
【００３５】
（第１の脚部１２３及び第２の脚部１２４）
対をなす第１の脚部１２３と第２の脚部１２４（図５）とは、枠１２０をケース１１０に取り付ける機能を持つが、第１の脚部１２３の側面部１２３ｂと第２の脚部１２４の側面部１２４ｂとは、光源ユニット２００を器具本体１００に取り付けるときのガイドの機能を持つ。つまり、図１６に示すように、側面部１２３ｂと側面部１２４ｂとは光源ユニット２００のガイドしている。ガイド機能により光源ユニット２００がＹ方向にずれることを防止できる。
【００３６】
（取り外し工程）
次に、作業者が器具本体１００から光源ユニット２００を取り外す場合を説明する。光源ユニット２００の取り外し工程は、図１５で説明した（ａ）、（ｂ）、（ｃ）の順序を、作業者が逆に（ｃ）、（ｂ）、（ａ）と進める工程である。以下に具体例を簡単に説明する。
【００３７】
＜（ｃ）→（ｂ）の工程＞
光源ユニット２００は、図１に示すような状態で器具本体１００に取り付けられている。開口１０１には作業者の指が入るような隙間はない。作業者は、カバー底面部２２１に手を添えて光源ユニット２００を水平な状態でＺ１方向に持ち上げ、さらに、水平状態でＸ方向の反対方向に光源ユニット２００をスライドさせて、カバー底面部２２１の一部が第１の本体側支持部１２１に支持される状態にする。これは図１５の（ｂ）の状態である。図１５の（ｂ）の状態では、光源ユニット２００の他方の端部２０２は開口１０１からＺ１方向に見て見える状態にある。
【００３８】
＜（ｂ）→（ａ）の工程＞
続いて、作業者は図１５の（ｂ）の状態において、光源ユニット２００のＸ方向における一方の端部２０１を支点として、光源ユニット２００のＸ方向における他方の端部２０２をＺ２方向に引き下げる。そして、作業者は、挿入方向の反対方向に光源ユニット２００を引き出すことで、光源ユニット２００を器具本体１００から取り外す。光源ユニット２００を器具本体１００を取り外す一連の工程においては、側面部１２３ｂ、側面部１２４ｂ（図１６）が取り外す際のガイドとなるので、作業者はガイドにより光源ユニット２００を器具本体１００から取り外すことができる。
【００３９】
器具本体１００へ光源ユニット２００を取り付ける取り付け工程及び器具本体１００から光源ユニット２００を取り外す取り外し工程とで説明したように、光源ユニット２００は、内部空間１０４から開口１０１を通過して着脱可能である。
【００４０】
＊＊＊実施の形態１の効果の説明＊＊＊
（１）照明装置３００では、ＬＥＤ取付板２１０及びカバー２２０が器具本体１００の内部空間１０４に収容され、開口１２５からは光源ユニット発光部２０３である光源ユニット２００のカバー底面部２２１が露出するのみである。よって、照明装置３００によれば、光源ユニット２００を器具本体１００に取り付けた際に、ビスまたは取付部分等が意匠面に表れることのない照明装置を提供できる。
（２）また、照明装置３００では、ＬＥＤモジュール２３０には、複数のＬＥＤ２３１が配光に方向性を持たないように配置されている。よって、照明装置３００によれば、配光に関して方向性のない平面タイプの脱着式光源ユニットを提供できる。
（３）照明装置３００では、光源ユニット２００の取り外し時に、引き下げる操作はないため、作業者の指が掛かるための、凸部及び凹部を確保する必要がない。
（４）照明装置３００では、器具本体１００に取付けられる端子台、器具取付孔等は、光源ユニット２００に対してＺ１方向に配置できる。このため、光源ユニット２００外周の化粧枠スペースに端子台等を配置することに比べて、端子台、取付孔の周囲のスペースを広めに確保でき、また、端子台、器具取付孔を光源ユニットの外周の化粧枠スペースに配置するよりも、配線及び器具取付作業がやりやすい。
【００４１】
なお、板バネ１４１は下方向（Ｚ２方向）に押圧する構成を説明したが、押圧せずに、光源ユニット２００が上方向（Ｚ１方向）へ移動しようとすることを抑制する構成でもよい。
【符号の説明】
【００４２】
３００  照明装置、１００  器具本体、１０１  開口、１０２  開口、１０３  取付ボルト収納部、１０４  内部空間、１０４−１  第１の収納空間、１０４−２  第２の収容空間、１０４−３  上部空間、１１０  ケース、１１１，１１２，１１３，１１４  ケース側面部、１１５  ケース底面部、１１７  電源線孔、１１８  調光信号線孔、１１９
取付孔、１２０  枠、１２０Ａ  枠底面部、１２０Ｂ−１，１２０Ｂ−２，１２０Ｂ−３，１２０Ｂ−４  枠側面部、１２１  第１の本体側支持部、１２２  第２の本体側支持部、１２３  第１の脚部、１２３ａ  取付部、１２３ｂ  側面部、１２４  第２の脚部、１２４ａ  取付部、１２４ｂ  側面部、１２５  開口、１２７  第１の開口側壁、１２８
第２の開口側壁、１３０  電源ユニット、１４１，１４２  板バネ、１５０  電源端子台、１６０  調光端子台、１７０  電源側ハーネス、１７１  コネクタ、１８０  ネジ、２００  光源ユニット、２０１  光源ユニット２００の一方の端部、２０２  光源ユニット２００の他方の端部、２０３  光源ユニット発光部、２１０  ＬＥＤ取付板、２１１，２１２，２１３，２１４  取付側面部、２１５  取付底面部、２１７  ＬＥＤ取付板２１０の一方の端部、２１８  ＬＥＤ取付板２１０の他方の端部、２２０  カバー、２２１  カバー底面部、２２２，２２３  カバー側面部、２２４，２２５  カバー側固定部、２３０  ＬＥＤモジュール、２３１  ＬＥＤ、２４０  カバー取付金具、２５０  光源側ハーネス、２５１  コネクタ、２６０  ネジ、２７０  ネジ、３００  照明装置、第２の側壁、９１２０Ｂ、９１２３ｂ  第１の側壁、９１３０  電源装置、９２１０  カバー取付部。
【図１】
2018073736.tif 000003
【図２】
2018073736.tif 000004
【図３】
2018073736.tif 000005
【図４】
2018073736.tif 000006
【図５】
2018073736.tif 000007
【図６】
2018073736.tif 000008
【図７】
2018073736.tif 000009
【図８】
2018073736.tif 000010
【図９】
2018073736.tif 000011
【図１０】
2018073736.tif 000012
【図１１】
2018073736.tif 000013
【図１２】
2018073736.tif 000014
【図１３】
2018073736.tif 000015
【図１４】
2018073736.tif 000016
【図１５】
2018073736.tif 000017
【図１６】
2018073736.tif 000018